(57)【特許請求の範囲】
【請求項１】
表示画面の周囲に配備される枠形のフロントパネルにリアパネルを合わせることによって構成されるキャビネットと、上記フロントパネルに重なり状に取り付けられるデコレーションパネルと、を備える表示装置のデコレーションパネル取付構造であって、 
上記フロントパネルに設けられた孔部と、この孔部の孔縁に設けられて一対の被係合面を有する被係合部と、 
上記デコレーションパネルに突設されて間隔を隔てて位置する一対の弾性を有する脚片及びこれらの脚片に各別に設けられて互いに反対向きに突き出た一対の係合爪によって形成され、上記孔部に挿通されて上記被係合部に係合するフックと、
上記リアパネルに設けられて、そのリアパネルを上記フロントパネルに合わせて上記キャビネットを形作ったときに、一対の上記係合爪の背部に配備され、かつ、それらの係合爪を受け止めることにより、上記係合爪の背方への上記脚片の撓み変形幅を制限して、上記係合爪が上記被係合部から外れるのを阻止するストッパと、 
を備えていることを特徴とする表示装置のデコレーションパネル取付構造。 
【請求項２】
上記被係合部が、フロントパネルの上記孔部の孔縁に突設されたリブ状の突出片によっ
て構成され、その突出片の頂面が上記被係合面として形成されている請求項１に記載した
表示装置のデコレーションパネル取付構造。
【請求項３】
上記ストッパがリブ状の板片でなり、その板片の幅方向端縁がフックの上記係合爪にそ
の背部で対峙するように構成されている請求項１又は請求項２に記載した表示装置のデコ
レーションパネル取付構造。
【請求項４】
上記被係合面と上記係合爪との係合幅は、それら両者が係合し、かつ、フロントパネル
にリアパネルが合わされていないときに、上記デコレーションパネルを上記フロントパネ
ルから引き離す方向に引張ることにより、上記脚片が背方へ撓み変形して上記係合爪が上
記被係合面から外れることを可能にする寸法に定められている請求項２に記載した表示装
置のデコレーションパネル取付構造。
【請求項５】
上記被係合面に対する係合爪の係合面が、前上がり勾配を有する傾斜面として形成され
ている請求項３に記載した表示装置のデコレーションパネル取付構造。
【発明の詳細な説明】
【技術分野】
【０００１】
本発明は、表示装置のデコレーションパネル取付構造、特に、キャビネットがフロントネルとリアパネルとに分割されていて、デコレーションパネルが装着されたフロントパネルにリアパネルが結合されていない状態が半完成品として規定され、デコレーションパネルが装着されたフロントパネルにリアパネルが結合された状態が完成品として規定される表示装置のデコレーションパネル取付構造に関する。
【背景技術】
【０００２】
薄型テレビジョン受像機やフォトフレーム、ＤＶＤ録再機などの表示装置では、キャビネットがフロントネルとリアパネルとに分割されていて、フロントパネルにリアパネルを合わせて結合することによってキャビネットが組み立てられる。また、フロントパネルにデコレーションパネルを装着することによって、表示装置の外観品位を高めて高級感を付与することがある。
【０００３】
この種の表示装置において、フロントパネルにリアパネルを合わせて結合するよりも前の段階で、デコレーションパネルをフロントパネルに装着するという半完成品の組立工程が行われるものでは、半完成品を組み立てた後に、デコレーションパネルをフロントパネルから一旦取り外し、その後に再びデコレーションパネルをフロントパネルに装着するといったリワークの行われることがある。そして、このリワークに際しては、デコレーションパネルをフロントパネルから容易に取り外すことがてきるようになっていることが望ましいということが云える。その反面で、上記した完成品を組み立てた後では、デコレーションパネルをフロントパネルから容易に取り外すことができないようなっていることが要求される。
【０００４】
一方、薄型液晶テレビジョン受像機では、フロントパネルにデコレーションパネルを装着してその外観品位を高めたものが公知であるけれども、この従来例では、デコレーションパネル取付構造として、デコレーションパネルをフロントパネルに両面粘着テープを用いて貼り付ける、という手法が採用されていた。
【０００５】
他方、先行例では、薄型表示装置の前枠部分を構成するサイドフレームに、デコレーションパネルを複数箇所でねじ止めすることが知られていた（たとえば、特許文献１参照）。また、他の先行例では、嵌合構造を採用して装飾部材をフロントパネルに取り付けることが知られ（たとえば、特許文献２参照）、さらに他の先行例では、電話機のカバーパネルを、液晶表示部とトップカバーとの間に挟み込むという構成を採用して取り付けることが提案されている（たとえば、特許文献３参照）。
【先行技術文献】
【特許文献】
【０００６】
【特許文献１】特開２００６−２６７７５５号公報（図３、図４）
【特許文献２】特開２００９−１０５５１７号公報（図１）
【特許文献３】特開２００８−６０７９３号公報（図５）
【発明の概要】
【発明が解決しようとする課題】
【０００７】
しかしながら、従来例としての薄型液晶テレビジョン受像機のデコレーションパネル取付構造は、リワーク時にデコレーションパネルをフロントパネルから取り外すことがもともと予定されていず、しかも、デコレーションパネルが両面粘着テープでフロントパネルに貼り付けられていたので、デコレーションパネルをフロントパネルから取り外すことが困難であった。
【０００８】
また、特許文献１によって提案されているようなねじ止め構造を採用したものでは、デコレーションパネルの着脱に際して取付ねじを締め付けたり取り外したりする作業が煩わしいばかりでなく、取付ねじが余分に必要になってそれだけコスト高になるという問題がある。さらに、特許文献２や特許文献３のものについては、リワークに際して、装飾部材やカバーパネルを必ずしも容易に取り外すことができるものではないということが云える。
【０００９】
本発明は、以上の状況や問題点に鑑みてなされたものであり、薄型テレビジョン受像機などの表示装置では、フロントパネルにリアパネルを合わせることによってキャビネットが組み立てられるという事項に着目した上で、両面粘着テープや取付ねじといった余分な材料や部品を用いることなく、半完成品では、デコレーションパネルをフロントパネルに容易に着脱することが可能でありながら、完成品では、デコレーションパネルをフロントパネルから容易に取り外すことができなくなる表示装置のデコレーションパネル取付構造を提供することを目的とする。
【課題を解決するための手段】
【００１０】
本発明に係る表示装置のデコレーションパネル取付構造は、表示画面の周囲に配備される枠形のフロントパネルにリアパネルを合わせることによって構成されるキャビネットと、上記フロントパネルに重なり状に取り付けられるデコレーションパネルと、を備えている。また、上記フロントパネルに設けられた孔部、及び、この孔部の孔縁に設けられて一対の被係合面を有する被係合部と、上記デコレーションパネルに突設されて間隔を隔てて位置する一対の弾性を有する脚片及びこれらの脚片に各別に設けられて互いに反対向きに突き出た一対の係合爪とによって形成されていると共に、上記孔部に挿通されたフックの一対の上記係合爪が上記被係合部と摺動して一対の上記脚片を背方に撓ませながらその被係合部を乗り越えて上記被係合面に係合することにより、上記デコレーションパネルをフロントパネルとの重なり位置に固定するフックと、上記リアパネルに設けられて、そのリアパネルを上記フロントパネルに合わせて上記キャビネットを形作ったときに、フックの一対の上記係合爪の背部に配備され、かつ、それらの係合爪を受け止めることにより上記脚片の背方への撓み変形幅を制限して上記係合爪が上記被係合部から外れることを阻止するストッパと、を備えている。
【００１１】
上記のように構成された表示装置のデコレーションパネル取付構造において、半完成品を組み立てるときには、デコレーションパネル側のフックをフロントパネル側の孔部に挿入する。このようにすると、フックの係合爪が、フロントパネル側の被係合部と摺動して脚片を背方に撓ませながらその被係合部を乗り越えて被係合面に係合する。この状態では、フロントパネル側の被係合部とフックの一対の脚片とのうちの一方側が他方側を挟んでデコレーションパネルが一対の脚片の対向方向で位置決めされ、併せて、フロントパネル側の被係合部がフックの係合爪とデコレーションパネルとにより挟まれて、デコレーションパネルがフロントパネルとの重なり位置に固定される。したがって、デコレーションパネル側のフックをフロントパネル側の孔部に挿入するという簡単な操作を行うだけで、デコレーションパネルをフロントパネルに容易に取り付けることが可能になる。
【００１２】
こうして組み立てられた半完成品において、リワークの必要性が生じたときには、フックの係合爪を被係合部の被係合面から外し、デコレーションパネルをフロントパネルから引き離してフックをフロントパネル側の孔部から抜き出す。したがって、デコレーションパネルをフロントパネルから容易に取り外すことが可能になる。
【００１３】
また、完成品を組み立てるときには、デコレーションパネルが取り付けられたフロントパネルにリアパネルを合わせる。このようにすると、リアパネル側のストッパが、上記フックの係合爪の背部に配備される。そして、そのストッパが係合爪を受け止めて脚片の背方への撓み変形幅を制限することにより、係合爪が被係合部から外れるという事態を阻止する。したがって、完成品では、デコレーションパネルをフロントパネルから容易に取り外すことができなくなる。
【００１４】
本発明では、上記被係合部が、フロントパネルの上記孔部の孔縁に突設されたリブ状の突出片によって構成され、その突出片の頂面が上記被係合面として形成されている、という構成を採用することが可能である。この構成を採用すると、フロントパネルが肉薄に形成されているとしても、デコレーションパネルとフックの係合爪との相互間隔が突出片の高さに見合う寸法になり、フックの脚片をその突出片の高さに見合って長くすることが可能になる。そのため、フックの脚片に付与することが必要な弾性を、フロントパネルの肉厚の影響を受けずに、突設片の高さ、ひいては脚片の長さを調節して適切な大きさに定めることが容易になる。
【００１５】
本発明では、上記ストッパがリブ状の板片でなり、その板片の幅方向端縁がフックの上記係合爪にその背部で対峙するように構成されていることが望ましい。この構成であると、ストッパを形成している板片を薄肉にしても、その板片が、ストッパに要求される強度を発揮する。また、ストッパを構成しているリブ状の板片が、リアパネルを補強することにも役立つ。
【００１６】
本発明において、上記被係合面と上記係合爪との係合幅は、それら両者が係合し、かつ、フロントパネルにリアパネルが合わされていないときに、上記デコレーションパネルを上記フロントパネルから引き離す方向に引張ることにより、上記脚片が背方へ撓み変形して上記係合爪が上記被係合面から外れることを可能にする寸法に定められている、という構成を採用することが可能である。この構成によれば、半完成品を組み立てた後において、人為的に係合爪を被係合面から外す操作を行うことなく、デコレーションパネルをフロントパネルから引き離す方向に引張るだけで、デコレーションパネルをフロントパネルから取り外すことが可能になる。
【００１７】
本発明では、上記被係合面に対する係合爪の係合面が、前上がり勾配を有する傾斜面として形成されていてもよい。この構成であれば、半完成品を組み立てた後において、デコレーションパネルをフロントパネルから引き離す方向に引張るだけで、係合爪の傾斜している係合面がフロントパネル側の被係合部と摺動してフックの脚片を背方に撓み変形させる。そのため、人為的に係合爪を被係合面から外す操作を行うことなく、係合爪が被係合面から外れるようになってフックの損壊が未然に防止される。
【発明の効果】
【００１８】
以上説明したように、本発明に係る表示装置のデコレーションパネル取付構造によれば、両面粘着テープや取付ねじといった余分な材料や部品を用いることなく、半完成品では、リワークに際してデコレーションパネルをフロントパネルに容易に着脱することが可能でありながら、完成品では、デコレーションパネルをフロントパネルから容易に取り外すことができなくなる。そのため、半完成品でのリワークを容易に行うことができ、しかも、完成品では、デコレーションパネルがフロントパネルから外れるという事態が起こらなくなる、という効果が奏される。
【図面の簡単な説明】
【００１９】
【図１】本発明の実施形態に係るデコレーションパネル取付構造が適用された表示装置の正面図である。
【図２】図１のＩＩ部を拡大して示した部分斜視図である。
【図３】図１のＩＩＩ部に相当するフロントパネル１０の要部の部分斜視図である。
【図４】フロントパネルの背面図である。
【図５】フロントパネルと装着前のデコレーションパネルとの要部を示した横断面図である。
【図６】デコレーションパネルが装着されたフロントパネルの要部を示した横断面図である。
【図７】完成品の組立て手順を示した要部の横断面図である。
【図８】完成品の他の組立て手順を示した要部の横断面図である。
【図９】完成品を組み立てた状態の要部の横断面図である。
【図１０】ストッパの作用を示した要部の拡大横断面図である。
【図１１】フロントパネルと装着前のデコレーションパネルとの要部を示した他の実施形態の横断面図である。
【図１２】デコレーションパネルが装着されたフロントパネルの要部を示した他の実施形態の横断面図である。
【図１３】半完成品からデコレーションパネルを取り外すときの作用を示した他の実施形態の説明図である。
【図１４】ストッパの作用を示した他の実施形態の要部の拡大横断面図である。
【発明を実施するための形態】
【００２０】
図１は本発明の実施形態に係るデコレーションパネル取付構造が適用された表示装置としての薄型テレビジョン受像機Ａの正面図である。この薄型テレビジョン受像機Ａは、液晶型表示画面１の周囲に配備される矩形枠形のフロントパネル１０を有し、このフロントパネル１０の左右両側に、その全高に亘る長さを備えた縦長のデコレーションパネル３０が装着されている。また、図１には現れていないけれども、フロントパネル１０には、その背部に合わされたリアパネルが結合されていて、それらのフロントパネル１０とリアパネルとによってキャビネットが構成されている。
【００２１】
図２は図１のＩＩ部を拡大して示した部分斜視図、図３はデコレーションパネル３０が装着されていない状態での図１のＩＩＩ部に相当するフロントパネル１０の要部の部分斜視図、図４はフロントパネル１０の背面図である。
【００２２】
図３のように、矩形枠形のフロントパネル１０の縦柱部１１には、段差を有して形成されたパネル取付部１２がその全高部分に亘って具備されていて、このパネル取付部１２に前板部１３と側板部１４とが備わっている。そして、パネル取付部１２の前板部１３と側板部１４とを覆う横断面略Ｌ字形のデコレーションパネル３０が、図２のようにそのパネル取付部１２に装着されている。したがって、デコレーションパネル３０は、フロントパネル１０に重なり状に取り付けられていることになる。
【００２３】
図３のように、フロントパネル１０のパネル取付部１２の前板部１３に、孔部１５が形成されている。図例の孔部１５は、横並びの２つの孔部１６，１６に分かれているけれども、それらの孔部１６，１６を連続させて１つの横長の孔部に形成しておいてもよい。また、図４に示したように、孔部１５は、左右のパネル取付部１２の前板部１３の縦方向複数箇所に形成されている。
【００２４】
図５はフロントパネル１０と装着前のデコレーションパネル３０との要部を示した横断面図、図６はデコレーションパネル３０が装着されたフロントパネル１０の要部を示した横断面図である。
【００２５】
図５のように、フロントパネル１０のパネル取付部１２の前板部１３に設けられた孔部１５における互いに反対側の２箇所の孔縁のそれぞれには、前板部１３と一体のリブ状の一対の突出片４１，４１が突設されていて、それらの突出片４１，４１が被係合部４０を構成している。そして、それぞれの突出片４１，４１の頂面が被係合面４２，４２として形成されている。
【００２６】
図５のように、樹脂の一体成形体でなるデコレーションパネル３０は、その裏面側にフック５０を備えている。このフック５０は、横方向に間隔を隔てて位置する一対の弾性を有する脚片５１，５１とこれらの脚片５１，５１の頂部に各別に設けられた一対の係合爪５２，５２とを備えていて、一対の係合爪５２，５２がそれぞれの脚片５１，５１から互いに反対向きに突き出ている。さらに具体的には、一対の係合爪５２，５２が一対の脚片５１，５１の対向方向ａに対して反対向きに突き出ている。係合爪５２には、上記した被係合部４０の一対の被係合面４２，４２に係合可能な係合面５３が備わっている。この係合面５３は、脚片５１からの係合爪５２の突出方向や上記した対向方向ａと平行になっている。また、デコレーションパネル３０側には、フック５０が縦方向（長手方向）の複数箇所に設けられていて、それぞれのフック５０が、図４に示した複数箇所の孔部１５に各別に対応している。
【００２７】
フック５０は、フロントパネル１０の前側からその孔部１５に矢印Ｙ１のように挿入することができる。また、図示していないけれども、フック５０を孔部１５に挿入する途中では、フック５０の一対の係合爪５２，５２が、フロントパネル１０側の被係合部４０を形成している一対の突出片４１，４１と摺動して一対の脚片５１，５１を背方（係合爪５２の突出方向に対する反対方向）に撓ませるように作用する。そして、一対の係合爪５２，５２のそれぞれがその相手方としてのそれぞれの突出片４１，４１を乗り越えると、それぞれの脚片５１がその弾性により復元して、それぞれの係合爪５２が、対応する突出片４１の頂面によって形成されている被係合面４２に各別に係合するようになっている。
【００２８】
さらに、図６のように、係合爪５２が被係合面４２に係合した状態では、被係合部４０の一対の突出片４１，４１が、フック５０の一対の脚片５１，５１を挟み付けてデコレーションパネル３０を横方向で位置決めするようになっている。また、被係合部４０がフック５０の係合爪５２とデコレーションパネル３０とにより挟まれるようになっている。
【００２９】
以上のように構成されているフロントパネル１０にデコレーションパネル３０を組み付けて半完成品を組み立てるときには、図５の矢印Ｙ１のように、デコレーションパネル３０側のフック５０をフロントパネル１０側の孔部１５に挿入することによって、図６のように、フック５０の一対の係合爪５２，５２を、フロントパネル１０側の被係合部４０の一対の被係合面４２，４２に係合させる。こうして組み立てられた半完成品では、被係合部４０の一対の突出片４１，４１が、フック５０の一対の脚片５１，５１を挟み付けてデコレーションパネル３０を横方向で位置決めし、フック５０の係合爪５２とデコレーションパネル３０とが被係合部４０を挟み付けるので、デコレーションパネル３０がフロントパネル１０との重なり位置、具体的には図３に示したパネル取付部１２に固定される。したがって、デコレーションパネル側のフックをフロントパネル側の孔部に挿入するという簡単な操作を行うだけで、デコレーションパネル３０をフロントパネル１０に容易に取り付けることが可能になる。
【００３０】
こうして組み立てられた半完成品において、リワークの必要性が生じたときには、フック５０の一対の係合爪５２，５２を図６の矢印Ｘ１，Ｘ１のように内側に押して脚片５１，５１を背方へ撓み変形させることにより、図６に仮想線で示したように被係合部４０の一対の被係合面４２，４２から係合爪５２，５２を外し、デコレーションパネル３０をフロントパネル１０から矢印Ｙ２のように引き離してフック５０をフロントパネル１０側の孔部１５から抜き出せばよい。したがって、半完成品の状態では、デコレーションパネル３０をフロントパネル１０から容易に取り外すことが可能である。
【００３１】
図７は完成品の組立て手順を示した要部の横断面図、図８は完成品の他の組立て手順を示した要部の横断面図、図９は完成品を組み立てた状態の要部の横断面図である。また、図１０はストッパ７０の作用を示した要部の拡大横断面図である。
【００３２】
図７〜図９のように、フロントパネル１０に合わせて結合されるリアパネル６０にはストッパ７０が設けられている。このストッパ７０は、リアパネル６０と共に樹脂で一体成形されたリブ状の板片でなる。そして、図９のように、フロントパネル１０にリアパネル６０を合わせた状態では、ストッパ７０を構成しているリブ状の板片が、被係合部４０に係合しているフック５０の一対の係合爪５２，５２の相互間に挿入されて、その板片の幅方向片側の端縁７１が、一方側の係合爪５２にその背部で対峙し、他側の端縁７１が、他方側の係合爪５２にその背部で対峙するように構成されている。
【００３３】
また、図１０に示したように、一方側の係合爪５２にその背部で対峙している板片の幅方向片側の端縁７１は、被係合部４０の被係合面４２に係合している係合爪５２が、その被係合面４２から外れる背方へ変位したときに、その係合爪５２に当接して受け止めることにより、脚片５１の背方への撓み変形幅を制限して係合爪５２が被係合部４０から外れることを阻止する。他方側の係合爪５２にその背部で対峙している板片の幅方向他側の端縁７１も、同様の作用で、他方側の係合爪５２を有する脚片５１の背方への撓み変形幅を制限して係合爪５２が被係合部４０から外れることを阻止する。したがって、完成品では、ストッパ７０の作用によって、デコレーションパネル３０をフロントパネル１０から容易に取り外すことができなくなる。
【００３４】
完成品の組立工程では、図７のようにリアパネル６０の端部をフロントパネル１０の端部に突き合わせ、その突合せ箇所を支点としてリアパネル６０を矢印ｂのように回動させることによりフロントパネル１０に合わせるという手順を採用する場合がある。その一方で、図８のようにリアパネル６０をフロントパネル１０に近付ける操作を通じてフロントパネル１０に合わせるという手順を採用する場合もある。そこで、この実施形態では、いずれの場合においても、その組立工程で、ストッパ７０を構成しているリブ状の板片７０がフック５０と干渉しない形状に形作られている。また、ストッパ７０を実施形態のようにリブ状の板片によって構成しておくと、そのストッパ７０がリアパネル６０の補強リブとしても作用するという利点がある。
【００３５】
以上説明した実施形態において、図６などに示した被係合面４２と係合爪５２との係合幅は、それら両者が係合し、かつ、半完成品の状態でデコレーションパネル３０をフロントパネル１０から引き離す方向に引張ることにより、脚片５１が背方へ撓み変形して係合爪５２が被係合面４２から外れることを可能にする寸法に定めることも可能である。この構成を採用しておくと、人為的に係合爪５２を被係合面４２から外す操作を行うことなく、デコレーションパネル３０をフロントパネル１０から引き離す方向に引張るだけで、デコレーションパネル３０をフロントパネルから取り外すことが可能になる。
【００３６】
図１１は他の実施形態によるフロントパネル１０と装着前のデコレーションパネル３０との要部を示した横断面図、図１２はデコレーションパネル３０が装着されたフロントパネル１０の要部を示した横断面図である。また、図１３は半完成品からデコレーションパネル３０を取り外すときの作用を示した説明図、図１４はストッパ７０の作用を示した要部の拡大横断面図である。
【００３７】
この実施形態では、被係合部４０及びフック５０の構成が、図５〜図１０を参照して説明した実施形態とは相違している。
【００３８】
すなわち、この実施形態では、図１１又は図１２のように、フック５０の一対の係合爪５２，５２の係合面５３，５３が、前上がり勾配を有する傾斜面として形成されている点で、図５〜図１０を参照して説明した実施形態と相違している。また、被係合部４０の一対の突出片４１，４１の頂面によって形成されている被係合面４２，４２が、上記係合面５３，５３と同様の勾配を有する傾斜面として形成されている点でも、図５〜図１０を参照して説明した実施形態と相違している。その他の構成は図５〜図１０を参照して説明した実施形態のそれと同様であるので、図１１及び図１２では、図５〜図１０に示した部分と同一部分に同一の符号を示してある。
【００３９】
この実施形態においても、半完成品を組み立てるときには、図１１の矢印Ｙ１のように、デコレーションパネル３０側のフック５０をフロントパネル１０側の孔部１５に挿入することによって、図１２のように、フック５０の一対の係合爪５２，５２を、フロントパネル１０側の被係合部４０の一対の被係合面４２，４２に係合させる。こうして組み立てられた半完成品では、被係合部４０の一対の突出片４１，４１が、フック５０の一対の脚片５１，５１を挟み付けてデコレーションパネル３０を横方向で位置決めし、フック５０の係合爪５２とデコレーションパネル３０とが被係合部４０を挟み付けるので、デコレーションパネル３０がフロントパネル１０との重なり位置、具体的には図３に示したパネル取付部１２に固定される。したがって、デコレーションパネル側のフックをフロントパネル側の孔部に挿入するという簡単な操作を行うだけで、デコレーションパネルをフロントパネルに容易に取り付けることが可能になる。
【００４０】
こうして組み立てられた半完成品において、リワークの必要性が生じたときには、図１３の矢印Ｙ３のようにデコレーションパネル３０をフロントパネル１０から引き離す方向に引張る。このようにすると、係合爪５２の傾斜している係合面５３が被係合部４０の被係合面４２と摺動してフック５０の脚片５１を矢印Ｘ２のように背方に撓み変形させる。そのため、人為的に係合爪５２を被係合面４２から外す操作を行うことなく、係合爪５２が被係合面４２から外れるようになる。したがって、被係合部４０に係合しているフック５０が無理に強く引張られて係合爪５２が欠損するというようなフック５０の損壊が未然に防止される。
【００４１】
この実施形態においても、リアパネル６０にはリブ状の板片でなるストッパ７０が設けられている。そして、図１４のように、フロントパネル１０にリアパネル６０を合わせた状態では、ストッパ７０を構成しているリブ状の板片が、被係合部４０に係合しているフック５０の一対の係合爪５２，５２の相互間に挿入されて、その板片の幅方向片側の端縁７１が、一方側の係合爪５２にその背部で対峙し、他側の端縁７１が、他方側の係合爪５２にその背部で対峙するように構成されている。また、一方側の係合爪５２にその背部で対峙している板片の幅方向片側の端縁７１は、被係合部４０の被係合面４２に係合している係合爪５２が、その被係合面４２から外れる背方へ変移したときに、その係合爪５２に当接して受け止めることにより、脚片５１の背方への撓み変形幅を制限して係合爪５２が被係合部４０から外れることを阻止する。他方側の係合爪５２にその背部で対峙している板片の幅方向他側の端縁７１も、同様の作用で、他方側の係合爪５２を有する脚片５１の背方への撓み変形幅を制限して係合爪５２が被係合部４０から外れることを阻止する。したがって、完成品では、ストッパ７０の作用によって、デコレーションパネル３０をフロントパネル１０から容易に取り外すことができなくなる。この実施形態において、被係合面４２に勾配を付与することは必ずしも必要ではない。
【００４２】
なお、この実施形態では、被係合部４０の一対の突出片４１の強度を高めるために、それらの突出片４１に補強リブ４５，４５を付加してある。こうしておくと、係合爪５２の傾斜している係合面５３が被係合部４０の被係合面４２と摺動してフック５０の脚片５１を矢印Ｘ２のように背方に撓み変形させる、という作用が確実に発揮される。
【００４３】
図５〜図１０を参照して説明した実施形態や、図１１〜図１４を参照して説明した実施形態では、リアパネル６０をフロントパネル１０に合わせたときに、リブ状の板片でなるストッパ７０が、フック５０の一対の係合爪５２，５２の相互間に挿入されるように構成されている。これは、フック５０の一対の係合爪５２，５２が、一対の脚片５１，５１の対向方向ａ（図５参照）とは反対向きに突出していることによる。
【００４４】
これに対し、フックの一対の係合爪を、一対の脚片の対向方向に突出させておき、それらの係合爪が、一対の脚片の内側に位置する一対の突出片によって構成される被係合部の一対の被係合面に係合するような構成を採用することも可能である。このような構成を採用した場合には、リアパネル側のリブ状の板片でなるストッパが、フックの外側でその一対の係合爪に対峙する構成にしておくとよい。
【符号の説明】
【００４５】
１  表示画面
１０  フロントパネル
１５  孔部
３０  デコレーションパネル
４０  被係合部
４１  突出片
４２  被係合面
５０  フック
５１  脚片
５２  係合爪
６０  リアパネル
７０  ストッパ
７１  板片の幅方向端縁
【図１】
0005573796.tif 000002
【図２】
0005573796.tif 000003
【図３】
0005573796.tif 000004
【図４】
0005573796.tif 000005
【図５】
0005573796.tif 000006
【図６】
0005573796.tif 000007
【図７】
0005573796.tif 000008
【図８】
0005573796.tif 000009
【図９】
0005573796.tif 000010
【図１０】
0005573796.tif 000011
【図１１】
0005573796.tif 000012
【図１２】
0005573796.tif 000013
【図１３】
0005573796.tif 000014
【図１４】
0005573796.tif 000015